(57)【要約】【課題】無水の組成物中の活性皮膚治療化合物を貯蔵し調剤する手段（活性のために長期の貯蔵寿命を可能にする）並びに皮膚に適用して審美的に許容できる生成物の提供。【解決手段】第一の組成物が実質的に無水でありそして水の存在下で不安定であって使用者の皮膚に利益をあたえる第一の成分を含む複数の投与量の第一の組成物を含む第一の室、第二の組成物が水を含む第二の組成物を含む第二の室、そして第一及び第二の組成物を調剤するための１つ以上の出口からなる装置。
2005528152.tif 000002
【特許請求の範囲】
【請求項１】
水の存在下不安定でありしかも使用者の皮膚に利益をあたえる第一の成分を含む実質的に無水である複数の投与量の第一の組成物を含む第一の室、
水を含む第二の組成物を含む第二の室、そして
第一及び第二の組成物を調剤するための１つ以上の出口
からなることを特徴とする装置。
【請求項２】
第一の組成物が、抗生物質、アスコルビン酸、アスコルビン酸誘導体、レチノイド、ヒドロキノン、ジヒドロオキシアセトン、甘草抽出物及び緑茶抽出物からなる群から選ばれる請求項１の装置。
【請求項３】
第一の活性成分が抗生物質である請求項１の装置。
【請求項４】
第一の活性成分が、アスコルビン酸及びアスコルビン酸誘導体からなる群から選ばれる請求項１の装置。
【請求項５】
抗生物質が、エリスロマイシン、クリンダマイシン、テトラサイクリン、そしてエリスロマイシン、クリンダマイシンまたはテトラサイクリンの誘導体、そしてエリスロマイシン、クリンダマイシンまたはテトラサイクリンの製薬上許容できる塩からなる群から選ばれる請求項３の装置。
【請求項６】
第二の組成物が活性成分を含む請求項１の装置。
【請求項７】
第二の組成物が過酸化ベンゾイルを含む請求項６の装置。
【請求項８】
過酸化ベンゾイルが、第二の組成物の約０．１−約２５重量％を構成する請求項７の装置。
【請求項９】
第一の組成物がレチノイドを含む請求項１の装置。
【請求項１０】
レチノイドが、レチノール、レチン酸、レチニルパルミテート、レチニルプロピオネート、レチニルアセテート及び合成レチノイド類似物からなる群から選ばれる請求項９の装置。
【請求項１１】
第一の組成物が、
ｉ）極性溶媒、
ｉｉ）該第一の活性成分、そして
ｉｉｉ）室温で測定して少なくとも１０００センチポイズの粘度を第一の組成物に与えるのに充分な量の濃厚化剤
を含む請求項１の装置。
【請求項１２】
第一の組成物が、ポリオール及び多価アルコールからなる群から選ばれる極性溶媒を含む請求項１０の装置。
【請求項１３】
第一及び第二の室から第一及び第二の組成物を移動するためのポンプをさらに含む請求項１の装置。
【請求項１４】
それぞれ第一及び第二の室から第一及び第二の組成物を同時に調剤し、第一の組成物は、水の存在下不安定であって使用者の皮膚に利益を与える第一の活性成分を含みしかも実質的に無水であり、第二の組成物は水を含みそして所望により第二の活性成分を含み、そして
第一の組成物及び第二の組成物と使用者の皮膚とを接触させる
ことからなる使用者の皮膚に有益な効果をあたえることを特徴とする方法。
【請求項１５】
第一の組成物が、抗生物質、アスコルビン酸、アスコルビン酸誘導体、レチノイド、ヒドロキノン、ジヒドロオキシアセトン、甘草抽出物及び緑茶抽出物からなる群から選ばれる請求項１４の方法。
【請求項１６】
第一の活性成分が抗生物質である請求項１４の方法。
【請求項１７】
第一の活性成分が、アスコルビン酸及びアスコルビン酸誘導体からなる群から選ばれる請求項１４の方法。
【請求項１８】
抗生物質が、エリスロマイシン、クリンダマイシン、テトラサイクリン、そしてエリスロマイシン、クリンダマイシンまたはテトラサイクリンの誘導体、そしてエリスロマイシン、クリンダマイシンまたはテトラサイクリンの製薬上許容できる塩からなる群から選ばれる請求項１７の方法。
【請求項１９】
第二の組成物が活性成分を含む請求項１４の方法。
【請求項２０】
第二の組成物が過酸化ベンゾイルを含む請求項１９の方法。
【請求項２１】
過酸化ベンゾイルが、第二の組成物の約０．１−約２５重量％を構成する請求項２０の方法。
【請求項２２】
第一の組成物がレチオイドを含む請求項１４の方法。
【請求項２３】
レチノイドが、レチノール、レチン酸、レチニルパルミテート、レチニルプロピオネート、レチニルアセテート及び合成レチノイド類似物からなる群から選ばれる請求項２２の方法。
【発明の詳細な説明】
【技術分野】
【０００１】
本発明は、２つの異なる物質を調剤する組成物及び装置に関する。さらに詳細には、本発明は、長期にわたる貯蔵を可能にしそして２つの組成物すなわち皮膚を治療する第一の活性成分を含む無水の第一の組成物（第一の活性成分は、水の存在下不安定である）並びに水性の第二の組成物を次に調剤することを可能にする組成物及び装置に関する。
【背景技術】
【０００２】
多くの皮膚治療活性成分は、水に対して非常に不安定であり、そして容易に分解して効能が低下したまたは全く失った不安定な生成物を生ずる。ビタミンＡ、ビタミンＣ、ヒドロキノン及びジヒドロオキシアセトンは、水性媒体中で全く不安定な皮膚治療活性成分の例であり、そのため消費者が使用する化粧品の処方には利用されない。これらの活性成分は、それら自体または組み合わされて顔面のしわ及び乾燥肌を治療するのに有益な効果を有する。例えば組み合わされたビタミンＣ及びヒドロキノンは、皮膚の色を白くする良好な効果を生ずる。しかし、水性の媒体中ではビタミンＣは着色しそして完全に分解する。
【０００３】
加水分解的に不安定な化合物に関する無水の組成物が提案されている。しかし、これらの無水の組成物は、通常、末端の使用者にとり良くない感触をあたえるかまたは審美的に劣っているために、市販されない。
【発明の開示】
【発明が解決しようとする課題】
【０００４】
無水の組成物中の活性皮膚治療化合物を貯蔵し調剤する手段（活性のために長期の貯蔵寿命を可能にする）を提供し皮膚に適用して審美的に許容できる生成物を提供することが望まれている。
【課題を解決するための手段】
【０００５】
２つの別々の組成物（すなわち１つは水の存在下不安定でありそして皮膚に有益な効果をもたらす第一の活性成分を含む無水の組成物であり、そして１つは活性成分を含むかまたは含まない水含有組成物である）が普通のディスペンサー内に包装されそしてそれから調剤されることが見いだされた。さらに特に、２つの部分からなるディスペンサーは、２つの室を有しさらに室から第一及び第二の組成物を調剤するための１つ以上の出口を有する。第一の室は、加水分解的に不安定なしかも使用者の皮膚へ利益をもたらす第一の活性成分を含む複数の投与量の無水の第一の組成物を含み、そして第二の室は、第二の活性成分を含むかまたは含まない水性の第二の組成物を含む。用語「加水分解的に不安定」は、本明細書で使用されるとき、活性成分が、最初の活性成分に比べて低下した効能または完全に損失した効能の何れかを有する形に水の存在下化学的に変化することを意味する。このやり方で２つの組成物を包装することにより、長い貯蔵寿命が水不安定性の活性成分について達成され、そして審美的に許容できる生成物の調剤及び適用が提供される。
【０００６】
特に有用な態様では、２つの部分からなるディスペンサーは、ｉ）極性溶媒、水不安定な活性成分及び濃厚化剤を含む複数の投与量の無水の第一の組成物、並びにｉｉ）水溶液、水性懸濁物、水中油エマルション及び油中水エマルションからなる群から選ばれる複数の投与量の第二の組成物を含む。
【０００７】
これらの２つの部分からなる調剤システム（例えば２つの部分からなるポンプ、２つの部分からなる管など）の主な利点は、以下の通りである。
１．このパッケージは、水不安定性のため水性媒体から分離する活性成分を保持する。
２．水性組成物は、任意の皮膚の適用について消費者に通常重要な必要な水和をもたらす。
３．無水の極性ゲルシステムは、粘着性が強く、審美的に化粧品の用途に使用できない。使用時に水性組成物とブレンドすることは、すべての審美的なマイナスをなくしそして消費者に許容できる皮膚を治療する化粧品を提供する。
４．無水の組成物は、２つの部分からなるパッケージの１つの相に、１つ以上の活性成分例えばビタミンＡ、ビタミンＣ、ヒドロキノンを含むことができる。
５．２つの部分からなるパッケージは、また最大の皮膚の利益のために第二の組成物から水性システムで安定な無水の組成物及び活性成分から活性成分を伝達することを可能にする。
【発明を実施するための最良の形態】
【０００８】
本明細書で記述された２つの部分からなるディスペンサーは、第一の組成物を含む第一の室、第二の組成物を含む第二の室そして第一及び第二の組成物を同時に調剤する１つ以上の出口を含む。
【０００９】
第一及び第二の組成物は、好ましくは、０．３−３０ｒｐｍでスピンドル番号３または４を使用して室温でブルックフィールド粘度計（モデルＬＶＴ）を使用して測定したとき、１０００センチポイズ（ｃｐｓ）より高い粘度を有する。本明細書で述べられたすべての粘度はこの方法で測定されると理解すべきである。好ましくは、第一及び第二の組成物は、５０００ｃｐｓより高い粘度を有する。特に有用な態様では、組成物は、約１０００−約２００００００センチポイズの範囲の粘度を有する。最も好ましくは、第一及び第二の組成物は、約１００００ｃｐｓから約１００００００ｃｐｓの範囲の粘度を有する。使用者に良好な感触を有する組成物を提供する目的で、第一及び第二の組成物は、有利には、２５％以下異なる粘度を有する。
【００１０】
第一の組成物は、実質的に無水でありそして水との接触により劣化を受けやすい第一の活性成分を含み、そして使用者の皮膚に利益をもたらす。用語「実質的に無水」により、組成物を処方するのに使用される種々の成分に含まれる水和水以外に、遊離水は組成物に加えられないことを意味する。代表的には、組成物の水分量は、５重量％より少ない。好ましくは、組成物の水分量は、組成物の３重量％より少なく、最も好ましくは約１重量％より少ない。
【００１１】
無水の第一の組成物に配合できる好適な活性成分は、抗生物質、アスコルビン酸、アスコルビン酸誘導体、レチノイド、ヒドロキノン、ジヒドロオキシアセトン、甘草抽出物及び緑茶抽出物を含むが、これらに限定されない。
【００１２】
使用者の皮膚に有益な効果をもたらすことが知られている活性成分の１つの群は、抗生物質である。好ましくは、抗生物質は、アクネを治療するのに有用であることが現在知られているもの、例えばエリスロマイシン、テトラサイクリン、クリンダマイシン、それらの誘導体または製薬上許容できる塩である。抗生物質は、有効なアクネ治療の量、好ましくは約０．００１重量％−約５重量％の量、さらに好ましくは約０．１重量％−約１．０重量％で第一の組成物に存在する。
【００１３】
特に有用な態様では、第一の組成物は、実質的に無水でありそして極性溶媒、濃厚化剤及び抗生物質を含む。
第一の組成物のこの態様で有用な極性溶媒は、ポリオールである。ポリオールは、１分子あたり少なくとも２つのヒドロキシル基を有する化合物、すなわちその分子構造の一部として複数のヒドロキシル基を有する化合物である。有用なポリオールのなかで多価アルコールがある。プロピレングリコール、ジプロピレングリコール、ポリエチレングリコール及びグリセリンは、第一の組成物に使用して特に好ましい極性溶媒である。
【００１４】
無水組成物に望ましい粘度を付与できる任意の濃厚化剤がこの態様で使用できる。好適な濃厚化剤は、アクリル酸ポリマー及びポリアクリルアミドを含むが、これらに限定されない。濃厚化剤は、望ましい範囲の粘度の組成物を得るのに充分な量で使用される。使用される濃厚化剤の特定の量は、使用される溶媒及び達成されるべき望ましい粘度を含む多数のファクターに依存する。濃厚化剤は、約０．０５−約２０％、好ましくは約０．５−１０％そして最も好ましくは約１−約１０％のレベルで第一の組成物に存在する。
【００１５】
別の態様では、第一の組成物は、レチノイドを含む。好適なレチノイドは、例えばレチノール、レチン酸、レチニルパルミテート、レチニルプロピオネートまたはレチニルアセテート並びに合成レチノイド類似物を含む。レチノイドは、好ましくは、約０．００１重量％から約５重量％、さらに好ましくは約０．１重量％から約１．０重量％の量で第二の組成物に存在する。
【００１６】
特に有用な態様では、レチノイド含有組成物は、また実質的に無水でありそして極性溶媒、濃厚化剤及びレチノイドを含む。第二の組成物に関して好適な極性溶媒及び濃厚化剤は、上記の抗生物質組成物について上述したのと同じである。この別の態様では、レチノイド含有組成物は、０．３−３０ｒｐｍでスピンドル番号３または４を使用して室温で不ルックフィールド粘度計（モデルＬＶＴ）を使用して測定したとき、約１０００センチポイズ（ｃｐｓ）より高い粘度を有する。好ましくは、レチノイド含有組成物は、５０００ｃｐｓより高い粘度を有する。特に好ましい態様では、レチノイド含有組成物は、約１０００−約２００００００センチポイズの範囲の粘度を有する。最も好ましくは、レチノイド含有組成物は、約１００００−約１００００００ｃｐｓの範囲の粘度を有する。
【００１７】
別の態様では、第一の組成物は、アスコルビン酸成分（すなわち、アスコルビン酸（ビタミンＣ）またはその塩、脂肪酸のアスコルビルエステル、アスコルビン酸誘導体例えばマグネシウムアスコルビルホスフェート）を含む。アスコルビン酸化合物は、好ましくは、約０．００１重量％から約１５重量％、さらに好ましくは約０．１重量％から約５．０重量％の量で組成物に存在する。
【００１８】
特に有用な態様では、アスコルビン酸化合物含有組成物は、また実質的に無水でありそして極性溶媒、濃厚化剤及びアスコルビン酸化合物を含む。第二の組成物に関して好適な極性溶媒及び濃厚化剤は、上記の抗生物質及びレチノイド組成物に関して上述したのと同じである。この別の態様では、アスコルビン酸化合物含有組成物は、０．３−３０ｒｐｍでスピンドル番号３または４を使用して室温でブルックフィールド粘度計（モデルＬＶＴ）を使用して測定したとき、約１０００センチポイズ（ｃｐｓ）より高い粘度を有する。好ましくは、アスコルビン酸化合物含有組成物は、５０００ｃｐｓより高い粘度を有する。特に有用な態様では、アスコルビン酸化合物含有組成物は、約１０００−約２００００００センチポイズの範囲の粘度を有する。最も好ましくは、アスコルビン酸化合物含有組成物は、約１００００−約１００００００ｃｐｓの範囲の粘度を有する。
【００１９】
第二の組成物は、水を含みそして第一の活性成分に対してすべての有害な作用を避けるために第一の組成物から別の室に維持される。第二の組成物は、溶液、懸濁物、水中油エマルション及び油中水エマルションを含む任意の水性処方物である。第二の組成物は、無水組成物中の活性成分を放出するのに必要な水和をもたらし、そして活性成分を皮膚に容易に利用できるようにする。第二に、末端製品の美しさは、水性エマルション及びゲルの処方によって容易にコントロールできる。
【００２０】
第二の組成物は、所望により活性成分を含むことができる。第二の活性成分は、アクネを治療するのに有効であるか、または使用者に皮膚に局所的に投与されたとき、或る他の有益な効果をもたらす（例えば、アルファ−ヒドロキシ酸または抗刺激剤など）。
【００２１】
過酸化ベンゾイルは、第二の組成物中に配合できる有効な抗アクネ治療剤であることが周知の１つの活性成分である。第二の組成物は、任意の過酸化ベンゾイル含有クリーム、ローション、ゲルまたは懸濁物である。本発明に従って使用するのに好適な過酸化ベンゾイル組成物は、当業者により容易に処方でき、そして米国特許４６０６９１３、４６７１９５６、５０１９５６７、５８７９７１６及び５９９８３９２（これらの記述は参考として引用される）に開示された組成物を含むが、これらに限定されない。組成物中の過酸化ベンゾイルの量は、組成物の全重量に基づいて約０．１−約２０重量％、好ましくは約１．０−約１５重量％、最も好ましくは約１．５−約１０重量％である。この態様では、過酸化ベンゾイル含有組成物は、０．３−３０ｒｐｍでスピンドル番号３または４を使用して室温でブルックフィールド粘度計（モデルＬＶＴ）を使用して測定したとき、約１０００センチポイズ（ｃｐｓ）より高い粘度を有する。好ましくは、過酸化ベンゾイル含有組成物は、５０００ｃｐｓより高い粘度を有する。特に有用な態様では、過酸化ベンゾイル含有組成物は、過酸化ベンゾイル含有組成物は、約１０００−約２００００００センチポイズの範囲の粘度を有する。最も好ましくは、過酸化ベンゾイル含有組成物は、約１００００ｃｐｓから約１００００００ｃｐｓの範囲の粘度を有する。
【００２２】
第一及び第二の組成物は、好ましくは、第一及び第二の組成物が同時に調剤されるとき、化粧品として優れた製品をもたらすのに類似の粘度を有する。特に有用な態様では、第一の組成物と第二の組成物との間の粘度の相違は、約２５％以下である。
【００２３】
上記の成分に加えて、第一及び第二の組成物の１つまたはその両者は、また種々の非必須成分、例えば共溶媒、保存料、エモリエント、湿潤剤、皮膚の色を白くする剤、抗炎症剤、抗酸化剤、昆虫忌避剤または皮膚を冷やす化合物などを含むことができる。例えば、第一または第二の組成物の何れかは、１つ以上の共溶媒例えばエタノール、アセトンまたはプロピレンカーボネートを含むことができる。他の例として、第一または第二の組成物の何れかは、単独でまたはビタミンＣ、ビタミンＡ及び他の加水分解にあたり不安定な活性成分と組み合わせて使用できる皮膚の色を白くする剤の例である甘草抽出物及び緑茶抽出物を含むことができる。
【００２４】
保存料は、また第一または第二の組成物の何れかまたは両者で使用できる。本発明の組成物と関連して使用するのに好適な保存料は、パラベン、ソルベート、ベンジルアルコール、ジアゾリジニル尿素及びイソチアゾリノンを含む。保存料は、全組成物の約０．００１重量％から約１５重量％の量で存在できる。
【００２５】
第一または第二の組成物の１つまたは両者は、また処方されて全組成物の約０．０１−約３０重量％、好ましくは約１．０−約１５重量％の皮膚を冷やす化合物例えばメントール、メチルグリセロール、非対称カーボネート、チオカーボネート及びウレタン、置換カルボキシアミド、尿素またはホスフィンオキシド（Ｊ．Ｃｏｓｍｅｔ．Ｃｈｅｍ．２９卷、１８５ページ（１９７８）に記載されており、それは本明細書に参考として引用される）、メチルラクテート及びメントングリセリンアセタールを含むことができる。
【００２６】
第一及び第二の組成物は、複数の室のディスペンサーに貯蔵されそして調剤される。２つの別々に含まれた配合禁忌の化合物を同時に使用するのに適したポンプ手段を含む調剤システムは、周知である。それ自体、図１に概略的に画かれた調剤システム（Ｍａｐｌａｓｔ，Ｔｒａｄａｔｅ、イタリーからのディスペンサー）は、配合禁忌の化合物を分離するために押し出し可能な粘度の高い比較的不活性な物質を使用して、異なる生成物のコンパートメントまたは区分された管を用いて、小さい２つの室の単一のポーチから管に及ぶ多数の生成物からのまさに１つの例である。
【００２７】
図１に示されるディスペンサーは、投与ヘッドＣを押すことによってＡ及びＢに別々に含まれる２つの化合物を同時に投与できる。投与ヘッドＣを押すと、ほぼ等しい容量で２つの化合物を次に調剤する２つの小さいポンプが作動する。投与ヘッドのデザインに依存して、化合物は、２つの別々の流れまたはただ１つの流れで投与できる。もし所望ならば、例えば１：２の比で第一及び第二の実質的に無水の組成物を伝達できる調剤ユニットが使用できる。図１に画かれたディスペンサーでは、これは、２つのポンプの１つが、投与ヘッドＣのただ１回の押しで他のポンプの少なくとも２倍の容量で投与することを意味する。２室の１回使用のポーチでは、これは、第一の実質的に無水の組成物を含む室が、他の室の少なくとも半分の生成物の容量を含むことを意味する。２つのコンパートメントの管では、これは等しい圧力下では、第一の実質的に無水の組成物を含むコンパートメントの放出オリフィスが、他のコンパートメントの放出オリフィスの少なくとも２倍の生成物の通過を可能にすることを意味する。押し出し可能の材料を使用してコンパートメント化された管では、これは、第一の実質的に無水の組成物が、第二の実質的に無水の組成物の少なくとも２倍の容量で管の内側に存在することを意味する。
【００２８】
他の好適なディスペンサーは、米国特許５３５６０４０及び４８２６０４８（これらの記述は参考として引用される）に開示されている。
以下の実施例は、本発明の組成物及び方法の特定の態様を説明するために提供される。これらの実施例は、本発明の範囲を制限するものと解釈されてはならない。
〔実施例〕
以下の処方は、第一の組成物として使用するのに好適な実質的に無水の抗生物質組成物の例である。
【実施例１】
【００２９】
エリスロマイシン                ２
プロピレングリコール          ９６
ＵＬＴＲＥＺ  １０              ２
ポリエチレングリコール          −
クリンダマイシン                −
【実施例２】
【００３０】
エリスロマイシン                ２
プロピレングリコール          ７１．５
ＵＬＴＲＥＺ  １０              １．５
ポリエチレングリコール        ２５．０
クリンダマイシン                −
【実施例３】
【００３１】
エリスロマイシン                −
プロピレングリコール          ９６．０
ＵＬＴＲＥＺ  １０              ２．０
ポリエチレングリコール          −
クリンダマイシン                １．０
【実施例４】
【００３２】
エリスロマイシン                ２．０
プロピレングリコール          ９６．０
ＵＬＴＲＥＺ  １０              １．０
ＳＥＰＩＧＥＬ  ３０５          １．０
【実施例５】
【００３３】
プロピレングリコール          ６６．５
ビタミンＡ  ５０％              ２．０
カルボポール                    １．５
シリコーン                    １０．０
Ｃ１２−１５アルキルベンゾエート    ５．０
澱粉                          １５．０
【実施例６】
【００３４】
プロピレングリコール          ５９．５０
アスコルビン酸                  ８．０
カルボポール                    １．５０
シリコーン                    １０．０
Ｃ１２−１５アルキルベンゾエート    ５．０
澱粉                          １５．０
甘草抽出物                      １．０
【実施例７】
【００３５】
プロピレングリコール          ５８．５
アスコルビン酸                  ８．０
ビタミンＡ  ５０％              ２．０
カルボポール                    １．５
シリコーン                    １０．０
Ｃ１２−１５アルキルベンゾエート    ５．０
澱粉                          １５．０
【実施例８】
【００３６】
皮膚美白ゲル
プロピレングリコール          ５４．５
アスコルビン酸                  ８．０
ビタミンＡ  ５０％              ２．０
カルボポール                    １．５
シリコーン                    １０．０
Ｃ１２−１５アルキルベンゾエート    ５．０
ヒドロキノン                    ４．０
澱粉                          １５．０
【実施例９】
【００３７】
単色の日焼けゲル
プロピレングリコール          ６７．５
ジヒドロキシアセトン            ７．０
カルボポール                    １．５
シリコーン                    １０．０
Ｃ１２−１５アルキルベンゾエート    ５．０
ヒドロキノン                    ４．０
澱粉                          １５．０
【実施例１０】
【００３８】
プロピレングリコール          ７２．５
アスコルビン酸                  ５．０
緑茶抽出物                      １．０
カルボポール                    １．５
シリコーン                      ５．０
澱粉                          １５．０
以下の過酸化ベンゾイル含有処方物の例は、実施例１−１０の任意の無水の処方物と同時に調剤される第二の組成物として使用するのに好適である。
【実施例１１】
【００３９】
水                            ５６．４
グリセリン                      ５．０
ＳＥＰＩＧＥＬ  ３０５          ２．０
水酸化ナトリウム                １．６０
Ｓｔｅａｒｅｔｈ  Ｓ−２０      ２．０
Ｓｔｅａｒｅｔｈ  Ｓ−２        ２．０
セチルステアリルアルコール      ３．０
シリコーンキュポイドイル        ５．０
Ｌｕｃｉｄｏｌ  ７５％        １６．０
（過酸化ベンゾイル）
Ｃ１２−１５ベンゾエートエステル    ７．００
【実施例１２】
【００４０】
クリアゲル
水                            ８９．５
カルボポール                    ２．０
アルコール                      ８．０
トリエタノールアミン            ０．５
【実施例１３】
【００４１】
水中油非イオン性エマルション
水                            ８６．３５
グリセリン                      ３．０
メチルパラベン                  ０．２０
ジナトリウムＥＤＴＡ            ０．０５
Ｓｔｅａｒｅｔｈ  Ｓ−２０      ０．５０
シリコーン                      １．０
プロピルパラベン                ０．１０
セチルステアリルアルコール      ４．２０
ペトロラチューム                ３．０
香料油                          ０．３
【実施例１４】
【００４２】
水中油アニオン性エマルション
水                            ７９．５５
グリセリン                      ５．００
メチルパラベン                  ０．１８
ジナトリウムＥＤＴＡ            ０．０５
Ｖｅｅｇｕｍ                    ０．４０
Ｐｏｌｙｄｅｃｅｎｅ            ３．５０
ゴマ油                          ２．５０
シリコーン                      ０．２０
グリセロールモノステアレート    １．００
ステアリン酸                    ２．５０
セチルアルコール                ０．７０
プロピルパラベン                ０．１２
カルボポール                    ３．０
香料                            ０．３
本明細書で開示された態様について種々の改変がなされることを理解すべきである。そのため、上記の記述は、本発明を制限するものと解釈されるべきでなく、好ましい態様の単なる例示である。当業者は、請求の範囲の範囲及び趣旨内で他の改変を考慮するだろう。
【図面の簡単な説明】
【００４３】
【図１】本発明による第一及び第二の組成物を調剤するのに好適な容器の概略図である。
【符号の説明】
【００４４】
Ａ            容器
Ｂ            容器
Ｃ            投与ヘッド
【図１】
2005528152.tif 000003
【国際調査報告】
2005528152.tif 000004